(57)【要約】  第１のニードル・アセンブリ収納コンパートメントと、第２のニードル・アセンブリ収納コンパートメントと、第１のニードル・アセンブリ収納コンパートメントと第２のニードル・アセンブリ収納コンパートメントとの間に形成された少なくとも１つのコネクタ（３）とを備えるニードル・アセンブリ収納アレイ（１）が説明される。少なくとも１つのコネクタ（３）は、第１のニードル・アセンブリ収納コンパートメントと第２のニードル・アセンブリ収納コンパートメントとを分離するための破断点（４）を含む。【選択図】  図２
2014516662.tif 000002
【特許請求の範囲】
【請求項１】
第１のニードル・アセンブリ収納コンパートメントと、
第２のニードル・アセンブリ収納コンパートメントと、
第１のニードル・アセンブリ収納コンパートメントと第２のニードル・アセンブリ収納コンパートメントとの間に形成された少なくとも１つのコネクタ（３）とを備えるニードル・アセンブリ収納アレイ（１）であって、少なくとも１つのコネクタ（３）は、第１のニードル・アセンブリ収納コンパートメントと第２のニードル・アセンブリ収納コンパートメントとを分離するための破断点（４）を含む、上記ニードル・アセンブリ収納アレイ。
【請求項２】
第１および第２のニードル・アセンブリ収納コンパートメントの開口部は第１の平面に配置され、破断点（４）は第２の平面に配置される、請求項１に記載のニードル・アセンブリ収納アレイ（１）。
【請求項３】
第１の平面は第２の平面に実質的に垂直である、請求項２に記載のニードル・アセンブリ収納アレイ（１）。
【請求項４】
第１のニードル・アセンブリ収納コンパートメントは第２のニードル・アセンブリ収納コンパートメントに対して反転される、請求項１に記載のニードル・アセンブリ収納アレイ（１）。
【請求項５】
少なくとも１つのコネクタ（３）は、
第１のニードル・アセンブリ収納コンパートメントにカップリングされた第１の部分（１０）と、
第２のニードル・アセンブリ収納コンパートメントにカップリングされた第２の部分（１１）とを備え、
破断点（４）は第１の部分（１０）と第２の部分（１１）との間に形成される、請求項１〜４項のいずれか１項に記載のニードル・アセンブリ収納アレイ（１）。
【請求項６】
少なくとも１つのコネクタ（３）は、破断点（４）に隣接する少なくとも１つの狭窄部分（５）を含む、請求項１〜５項のいずれか１項に記載のニードル・アセンブリ収納アレイ（１）。
【請求項７】
第１および第２のニードル・アセンブリ収納コンパートメントは第１の材料で作られ、少なくとも１つのコネクタ（３）は第２の材料で作られる、請求項１〜６項のいずれか１項に記載のニードル・アセンブリ収納アレイ（１）。
【請求項８】
第２の材料は、ポリスチレン、ポリカーボネート、およびポリメチルメタクリレートのうちの１つである、請求項７に記載のニードル・アセンブリ収納アレイ（１）。
【発明の詳細な説明】
【技術分野】
【０００１】
本発明は、ニードル・アセンブリを収納するためのニードル・アセンブリ収納アレイに関する。
【背景技術】
【０００２】
糖尿病などの病気を患う患者は、注射薬を頻繁に自己投与しなければならない。注射薬を自己投与しやすくするために、自動注射器またはペン注射器などの注射デバイスが開発されている。一般に、このような注射デバイスは使い捨てか、または再使用可能なものであり、感染の危険を最小限にするために滅菌注射針アセンブリが再装着される。
ニードル・マガジンまたはニードル・ディスペンサのような携帯型針収納デバイスは、注射デバイスに取り付けられるように適合された複数のそのような滅菌注射針アセンブリを収容する。針収納デバイスは、薬剤を自己投与しやすくするように注射デバイスを補助するものである。
【発明の概要】
【発明が解決しようとする課題】
【０００３】
本発明の目的は、ニードル・アセンブリを収納する改善手段を提供することである。
【課題を解決するための手段】
【０００４】
例示的な一実施形態では、ニードル・アセンブリ収納アレイが第１のニードル・アセンブリ収納コンパートメントと、第２のニードル・アセンブリ収納コンパートメントと、第１のニードル・アセンブリ収納コンパートメントと第２のニードル・アセンブリ収納コンパートメントとの間に形成された少なくとも１つのコネクタとを備える。少なくとも１つのコネクタは、第１のニードル・アセンブリ収納コンパートメントと第２のニードル・アセンブリ収納コンパートメントとを分離するための破断点を含む。
【０００５】
例示的な一実施形態では、第１および第２のニードル・アセンブリ収納コンパートメントの開口部は第１の平面に配置され、破断点は第２の平面に配置される。第１の平面は第２の平面に実質的に垂直でよい。別の例示的な実施形態では、第１のニードル・アセンブリ収納コンパートメントは、第２のニードル・アセンブリ収納コンパートメントに対して反転される。
【０００６】
例示的な一実施形態では、コネクタは、第１のニードル・アセンブリ収納コンパートメントにカップリングされた第１の部分と、第２のニードル・アセンブリ収納コンパートメントにカップリングされた第２の部分とを備える。破断点は第１の部分と第２の部分との間に形成されてよい。
【０００７】
例示的な一実施形態では、コネクタは、破断点に隣接する少なくとも１つの狭窄部分を含む。
【０００８】
例示的な一実施形態では、第１および第２のニードル・アセンブリ収納コンパートメントは第１の材料で作られ、コネクタは第２の材料で作られる。第２の材料は、ポリスチレン、ポリカーボネート、およびポリメチルメタクリレートのうちの１つでよい。
【０００９】
本発明のさらなる利用可能範囲は、後で提示する詳細な説明から明らかになろう。しかし、詳細な説明および具体的な例は、本発明の好ましい実施例を示すが、この詳細な説明から本発明の趣旨および範囲内の様々な変更および修正が当業者には明らかになるので、例示としてのみ提示されていることを理解されたい。
【００１０】
本発明は、以下に提示する詳細な説明および添付の図面からより完全に理解されよう。図面は例示のためにのみ提示されており、したがって本発明を限定するものではない。
【図面の簡単な説明】
【００１１】
【図１】本発明の例示的な一実施形態によるニードル・アセンブリ収納アレイの斜視図である。
【図２】本発明の例示的な一実施形態によるニードル・アセンブリ収納アレイの一部分の斜視図である。
【図３】本発明の例示的な一実施形態によるニードル・アセンブリ収納アレイの斜視図である。
【発明を実施するための形態】
【００１２】
すべての図で、対応する部分には同じ参照記号が付けられている。
【００１３】
図１は、本発明によるニードル・アセンブリ収納アレイ１の例示的な一実施形態の斜視図を示す。アレイ２は、複数の相互連結されたニードル・アセンブリ収納コンパートメント２で形成され、これらのコンパートメントは、ペン注射器、自動注射器などのように注射デバイスと共に使用されるようなニードル・アセンブリを収容するように適合されている。ニードル・アセンブリは一般に、注射デバイスに嵌合するように適合されたニードル・ハブと、注射薬を送出するための針とを備える。ニードル・アセンブリ収納コンパートメント２のそれぞれは、近位部分６および遠位部分８を備える。近位部分６は、ニードル・ハブを収容するように寸法設定し成形することができ、遠位部分８は、針（またはその一部分）を収容するように寸法設定し成形することができる。
【００１４】
ニードル・アセンブリ収納コンパートメント２の近位部分６に形成された開口部７は、取外し可能シール９で覆うことができる。１枚のシール９は、ニードル・アセンブリ収納コンパートメント２のそれぞれの開口部７の上に配置されてもよく、シール９は、複数のニードル・アセンブリ収納コンパートメント２の開口部７にまたがって延びるテープとして形成されてもよい。
【００１５】
図１に示された例示的な実施形態では、ニードル・アセンブリ収納コンパートメント２は一列に配置され、すべてのニードル・アセンブリ収納コンパートメントが同じ方向に向けられる。例えば、ニードル・アセンブリ収納コンパートメント２のすべての開口部７は、ニードル・アセンブリ収納コンパートメント２の縦軸に垂直な第１の平面に配置される。
【００１６】
図２は、ニードル・アセンブリ収納コンパートメント２のアレイ１の例示的な一実施形態を示す。この例示的な実施形態では、連続したニードル・アセンブリ収納コンパートメントが、少なくとも１つのコネクタ３によってカップリングされる。所定の数の連結されたニードル・アセンブリ収納コンパートメントが得られるように、コネクタが、連続するニードル・アセンブリ収納コンパートメントの間、あるいは、第２と第３、第３と第４などのニードル・アセンブリ収納コンパートメントの間に形成されてよいことは当業者に理解されよう。例示的な一実施形態では、患者または医師がニードル・アセンブリ収納コンパートメントを、所望するどの刻み方でも分割することができる。
【００１７】
コネクタ３は、第１のニードル・アセンブリ収納コンパートメントにカップリングされた第１の部分１０と、第２のニードル・アセンブリ収納コンパートメントにカップリングされた第２の部分１１とを備えてよい。第１の部分１０および第２の部分１１の例示的な実施形態が図３に示されている。破断点４を第１の部分１０と第２の部分１１の間に形成することができる。第１の部分１０および第２の部分１１のそれぞれが、破断点４につながる狭窄部分５を含むことができる。
【００１８】
例示的な一実施形態では、破断点４は、第１の平面に実質的に垂直な第２の平面に形成される。したがって、連続するニードル・アセンブリ収納コンパートメント２を、第１の平面および／または第２の平面に対して破断点４を中心に回転させた場合、破断点４により、連続するニードル・アセンブリ収納コンパートメント２を分離することが容易になる。破断点４が任意の平面に形成されてよく、また任意の平面に対して平行でも、ある角度に配置されてもよいことは当業者に理解されよう。加えて、連続するニードル・アセンブリ収納コンパートメント２にカップリングされた複数のコネクタ３がある場合、コネクタ３の破断点４は同じ平面に配置されても、異なる平面に配置されてもよい。
【００１９】
図２に示された例示的な実施形態では、それぞれのニードル・アセンブリ収納コンパートメント２は、第１の隣接ニードル・アセンブリ収納コンパートメントの２つの第２の部分１１にカップリングする２つの第１の部分１０と、第２のニードル・アセンブリ収納コンパートメントの２つの第１の部分１０にカップリングする２つの第２の部分１１とを含む。したがって、この例示的な実施形態では、２つのコネクタ３は、連続するニードル・アセンブリ収納コンパートメント間に形成される。ニードル・アセンブリ収納コンパートメントが任意の数の第１および／または第２の部分を有してよく、任意の数のコネクタ３が、連続するニードル・アセンブリ収納コンパートメント間に形成されてよいことは当業者に理解されよう。
【００２０】
図２に示された例示的な実施形態では、アレイ１が１次元列として形成されるので、コネクタ３の第１の部分１０および第２の部分１１が、互いに所定の角度（例えば１８０度）でニードル・アセンブリ収納コンパートメント２の近位部分６に形成される。２次元以上のアレイ１が望まれる場合、第１の部分１０および第２の部分１１は、互いにそれぞれの角度で形成されてよい。例えば、連続するニードル・アセンブリ収納コンパートメント２が互いに４５度の角度で配置される場合、それぞれのニードル・アセンブリ収納コンパートメント２に形成される第１の部分１０と第２の部分１１は、互いに９０度で配置されてよい。
【００２１】
コネクタ３は、図では各ニードル・アセンブリ収納コンパートメント２の近位部分６同士を連結する。コネクタ３が、連続するニードル・アセンブリ収納コンパートメント２の任意の部分を連結できることは当業者に理解されよう。
【００２２】
アレイ１を製造するには、ニードル・アセンブリ収納コンパートメント２は第１の材料（例えば、プラスチック、ゴム、金属、シリコンなど）から形成することができ、コネクタ３は第２の材料（例えば、ポリスチレン、ポリカーボネート、ポリメチルメタクリレートなど）から形成することができる。第２の材料は、剛性が高く延性が低いことを特徴とするのものでよい。
【００２３】
図３は、本発明によるニードル・アセンブリ収納コンパートメント２のアレイ１の別の例示的な実施形態を示す。この例示的な実施形態では、連続するニードル・アセンブリ収納コンパートメントが互いに反転されており、連続するニードル・アセンブリ収納コンパートメントの開口部７は反対方向に向いている。この構成では、図１に描写された例示的な構成に対して約２倍の数のニードル・アセンブリ収納コンパートメント２が含まれ得るので、この構成は、所与の空間におけるニードル・アセンブリの収納密集度を向上させることができる。
【００２４】
この例示的な実施形態では、コネクタ３の第１の部分１０は、ニードル・アセンブリ収納コンパートメント２の近位部分６に形成されてよく、第２の部分１１は、ニードル・アセンブリ収納コンパートメント２の遠位部分８に形成されてよい。したがって、連続するニードル・アセンブリ収納コンパートメント２は、第１のニードル・アセンブリ収納コンパートメントの近位部分６上の第１の部分１０と第２のニードル・アセンブリ収納コンパートメントの遠位部分８上の第２の部分１１との間に形成された第１のコネクタと、第１の収納コンパートメントの遠位部分８上の第２の部分１１と第２の収納コンパートメントの近位部分６上の第１の部分１０との間に形成された第２のコネクタとによって連結することができる。
【００２５】
デバイスおよび／またはシステムの様々な構成要素ならびに本明細書に記載の実施形態の修正（追加および／または除去）が、このような修正およびありとあらゆるその等化物を包含する本発明の全範囲および趣旨から逸脱せずに行われてよいことは当業者には理解されよう。
【符号の説明】
【００２６】
１  ニードル・アセンブリ収納アレイ
２  ニードル・アセンブリ収納コンパートメント
３  コネクタ
４  破断点
５  狭窄部分
６  近位部分
７  開口部
８  遠位部分
９  シール
１０  コネクタの第１の部分
１１  コネクタの第２の部分
【図１】
2014516662.tif 000003
【図２】
2014516662.tif 000004
【図３】
2014516662.tif 000005
【国際調査報告】
2014516662.tif 000006
2014516662.tif 000007
2014516662.tif 000008